(57)【要約】【課題】マイクロ測定コネクタを利用して必要とする器具に合わせて、はぼ感じしない方式で、微電量の液態物質を測定できる効果が得られるマイクロ測定コネクタを提供する。【解決手段】ケーシングと、上記ケーシングに結合され、少なくとも、第１の基準信号端子と第２の基準信号端子及び二つの可変信号端子が備えられ、また、各端子の両端が、それぞれ、該ケーシングから伸び出し、各信号端子の体積比が、１：１．０５〜１：１０００の範囲内であり、或いは、導電率比が、１：０．００１〜１：０．９９５の範囲内である伝送ユニットと、が含有される。【選択図】図１
0003147107.tif 000002
【実用新案登録請求の範囲】
【請求項１】
ケーシングと、
上記ケーシングに結合され、少なくとも、第１の基準信号端子と第２の基準信号端子及び二つの可変信号端子が備えられ、また、各端子の両端が、それぞれ、該ケーシングから伸び出し、各信号端子の体積比が、１：１．０５〜１：１０００の範囲内であり、或いは、導電率（ｃｏｅｆｆｉｃｉｅｎｔ  ｏｆ  ｃｏｎｄｕｃｔｉｖｉｔｙ）比が、１：０．００１〜１：０．９９５の範囲内である伝送ユニットと、が含有される、ことを特徴とするマイクロ測定コネクタ。
【請求項２】
該ケーシングの外部に、遮蔽ユニットが覆われ、また、該遮蔽ユニットが、第１の基準信号端子と第２の基準信号端子及び信号端子の一端を収納できる挿入部を備えることを特徴とする請求項1に記載のマイクロ測定コネクタ。
【請求項３】
各信号端子は、皮銅の材質であることを特徴とする請求項1に記載のマイクロ測定コネクタ。
【考案の詳細な説明】
【技術分野】
【０００１】
本考案は、マイクロ測定コネクタに関し、特に、該マイクロ測定コネクタを利用して、必要とする器具に合わせて、ほぼ感じしない方式により、マイクロ物理量を測定できるものに関する。
【背景技術】
【０００２】
一般の、従来の血液物質測定器具は、少なくとも、内部に、血液物質濃度を制御と判断する処理機と関係回路が設けられ、その外部に、信号挿孔とスロットが設けられ、該信号挿孔と該スロットが、内部の回路に接続される主体と、基座と接続導線及び継ぎ手が備えられ、該基座に、試料片を挿入するためのスロットが形成され、該接続導線の一端が、スロット内に設置され、挿入された試料片と電気的に接続することができ、該接続導線のもう一端が、該継ぎ手に接続された後、該主体の信号挿孔に挿入され、これにより、アダプタ上の試料片の信号が、該主体に伝送され、該継ぎ手は、ＵＳＢ継ぎ手であり、該主体上において、同じインターフェース基準により構成された信号挿孔に挿入され、また、該継ぎ手が、該主体の信号挿孔に挿入されることができる信号継ぎ手（ＰＨＯＮＥ  ＪＡＣＫＳ）であってもよい。これにより、該血液物質測定器具で血液に関係する物質を測定できるアダプタと、が含有される。
【０００３】
上記の、従来の血液物質測定器具は、血液中の関連物質を測定できるが、該器具の構造が、比較的に複雑で、また、ＵＳＢ継ぎ手で、信号継ぎ手（ＰＨＯＮＥ  ＪＡＣＫＳ）に接続して信号を伝送するため、血液のマイクロ信号を測定して伝送することができなく、そのため、血液検体をサンプリングする時、感じある方式により行い、園ゆえ、従来の血液物質測定器具は、実用的とはいえない。
【考案の開示】
【考案が解決しようとする課題】
【０００４】
本考案の主な目的は、必要とする器具に合わせて、ほぼ感じしない方式により、微電量の液態物質を測定できる効果が得られるマイクロ測定コネクタを提供する。
【課題を解決するための手段】
【０００５】
本考案は、上記の目的を達成するため、ケーシングと、上記ケーシングに結合され、少なくとも、第１の基準信号端子と第２の基準信号端子及び二つの可変信号端子が備えられ、また、各端子の両端が、それぞれ、該ケーシングから伸び出し、各信号端子の体積比が、１：１．０５〜１：１０００の範囲内であり、或いは、導電率比が、１：０．００１〜１：０．９９５の範囲内である伝送ユニットと、が含有される、マイクロ測定コネクタである。
【考案を実施するための最良の形態】
【０００６】
図１と図２は、それぞれ、本考案の立体外観概念図と本考案の立体分解概念図である。図のように、本考案は、マイクロ測定コネクタであり、少なくとも、ケーシング１と伝送ユニット２及び遮蔽ユニット３から構成され、必要とする器具に合わせて、ほぼ感じしない方式により、微電量の液態物質を測定できる効果が得られる。
【０００７】
上記のケーシング１は、プラスチック材質でも良い。
【０００８】
該伝送ユニット２は、上記ケーシング１に結合され、該ケーシング１は、嵌め式射出成型や植入式成型により、伝送ユニット２の外部に結合され、また、該伝送ユニット２は、少なくとも、第１の基準信号端子２１と第２の基準信号端子２２及び二つの可変信号端子２３が備えられ、各端子の両端が、それぞれ、該ケーシング１から伸び出し、また、各信号端子２３の体積比が、少なくとも、１：１．０５〜１：１０００の範囲内にあり、或いは、導電率比が、１：０．００１〜１：０．９９５の範囲内にあり、また、各信号端子２３は、銅やりん青銅、皮銅或いは低抵抗銅類に金膜が覆われた材質であり、また、該第１の基準信号端子２１は、接地端子で、該第２の基準信号端子２２は、電源端子である。
【０００９】
該遮蔽ユニット３は、上記ケーシング１の外部に覆われ、金属材質で、第１の基準信号端子２１と第２の基準信号端子２２及び信号端子２３の一端を収納する挿入部３１があり、該挿入部３１は、プラスチック材質である。上記の構造により、新規のマイクロ測定コネクタが構成される。
【００１０】
図３と図４は、それぞれ、本考案の使用状態の概念図と本考案の使用状態のブロック概念図である。図のように、本考案によれば、伝送ユニット２と必要とする測定設備とを互いに組み立て、使用でき、組み立てる時、該伝送ユニット２の第１の基準信号端子２１と第２の基準信号端子２２及び信号端子２３のもう一端に、増幅器４が接続され、該増幅器４に、変換器５が接続され、該変換器５に、ホスト６が接続され、また、該ホスト６に、スクリーン７が接続され、また、該変換器５は、アナログ／デジタル変換器で、該スクリーン７は、ＣＣＤやＬＣＤである。
【００１１】
伝送ユニット２の第１の基準信号端子２１と第２の基準信号端子２２及び信号端子２３の一端を、必要とする接触ユニット８（例えば、プローブや導線）に接続し、その後、該接触ユニット８を測定対象物９に接触し、該測定対象物９は、微電液態物質であり、例えば、血液や唾液、有機液体或いは無機液体であり、接触する時、ほぼ感じしないような侵入方式や非侵入方式で行い、接触ユニット８を、測定対象物９に接触した後、伝送ユニット２を通して、測定した信号を増幅器４により拡大された後、変換器５に伝送され、変換器５により、該信号が、アナログ信号から必要とするデジタル信号に変換されてから、ホスト６に伝送されて関係する処理を行い、人類が感じしない１０−３Ｗ〜１０−１６Ｗ信号から変換された測定可能の１００Ｗ〜１０−７Ｗ信号を提供し、測定可能の１０−６Ｗのマイクロ信号が得られ、その後、スクリーン７により関連する抵抗値（ｒｅｓｉｓｔａｎｃｅ）やコンダクタンス（ｃｏｎｄｕｃｔａｎｃｅ）が表示され、測定人員により、関連するデータを判読する。
【００１２】
以上のように、本考案に係るマイクロ測定コネクタは、有効に、従来の諸欠点を改善でき、該マイクロ測定コネクタを利用して、必要とする器具に合わせ、ほぼ感じしない方式で、微電量の液態物質を測定でき、そのため、本考案は、より進歩的かつより実用的で、法に従って実用新案登録請求を出願する。
【００１３】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１４】
【図１】本考案の立体外観の概念図
【図２】本考案の立体分解概念図
【図３】本考案の使用状態の概念図
【図４】本考案の使用状態のブロック概念図
【符号の説明】
【００１５】
１    ケーシング
２    伝送ユニット
２１  第１の基準信号端子
２２  第２の基準信号端子
２３  信号端子
３    遮蔽ユニット
３１  挿入部
４    増幅器
５    変換器
６    ホスト
７    スクリーン
８    接触ユニット
９    測定対象物
【図１】
0003147107.tif 000003
【図２】
0003147107.tif 000004
【図３】
0003147107.tif 000005
【図４】
0003147107.tif 000006
【手続補正書】
【提出日】平成20年10月15日(2008.10.15)
【手続補正１】
【補正対象書類名】実用新案登録請求の範囲
【補正対象項目名】請求項１
【補正方法】変更
【補正の内容】
【請求項１】
ケーシングと、
上記ケーシングに結合され、少なくとも、第１の基準信号端子と第２の基準信号端子及び二つの可変信号端子が備えられ、また、各端子の両端が、それぞれ、該ケーシングから伸び出し、各信号端子の体積比が、１：１．０５〜１：１０００の範囲内であり、或いは、導電率比が、１：０．００１〜１：０．９９５の範囲内である伝送ユニットと、が含有される、ことを特徴とするマイクロ測定コネクタ。
【手続補正２】
【補正対象書類名】実用新案登録請求の範囲
【補正対象項目名】請求項３
【補正方法】変更
【補正の内容】
【請求項３】
各信号端子は、銅の材質であることを特徴とする請求項1に記載のマイクロ測定コネクタ。
【手続補正３】
【補正対象書類名】明細書
【補正対象項目名】０００８
【補正方法】変更
【補正の内容】
【０００８】
該伝送ユニット２は、上記ケーシング１に結合され、該ケーシング１は、嵌め式射出成型や植入式成型により、伝送ユニット２の外部に結合され、また、該伝送ユニット２は、少なくとも、第１の基準信号端子２１と第２の基準信号端子２２及び二つの可変信号端子２３が備えられ、各端子の両端が、それぞれ、該ケーシング１から伸び出し、また、各信号端子２３の体積比が、少なくとも、１：１．０５〜１：１０００の範囲内にあり、或いは、導電率比が、１：０．００１〜１：０．９９５の範囲内にあり、また、各信号端子２３は、銅やりん青銅、或いは低抵抗銅類に金膜が覆われた材質であり、また、該第１の基準信号端子２１は、接地端子で、該第２の基準信号端子２２は、電源端子である。